【手続補正書】
【提出日】平成19年11月27日(2007.11.27)
【手続補正１】
【補正対象書類名】明細書
【補正対象項目名】発明の名称
【補正方法】変更
【補正の内容】
【発明の名称】情報処理装置、方法及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  プリンタ装置と通信する情報処理装置であって、
前記プリンタ装置にて実行される出力処理方法の設定を行うためのユーザインタフェースを表示するユーザインタフェース表示手段と、
前記ユーザインタフェースを用いて、１ページ分のデータを複数の同じサイズの用紙に分割して出力するポスター印刷の実行を設定する設定手段と、
前記設定手段によって前記ポスター印刷の実行が設定された場合、前記出力処理方法を反映する出力結果が、ポスター印刷を実行するために使用される分割数を用いて複数の領域に分割された様子をプレビュー画面に表示するプレビュー表示手段と、
前記プレビュー表示手段によって前記プレビュー画面に表示された前記複数の領域から少なくとも１つの領域を指定する指定手段と、
前記指定手段の指定に従って、前記プリンタ装置にて印刷される領域と印刷されない領域とを決定する決定手段とを有し、
前記プレビュー表示手段は、前記決定手段によって決定された前記プリンタ装置にて印刷される領域と印刷されない領域とを前記プレビュー画面に識別可能に表示することを特徴とする情報処理装置。
【請求項２】  前記ユーザインタフェース表示手段は、前記プレビュー画面を含むユーザインタフェースを表示することを特徴とする請求項１に記載の情報処理装置。
【請求項３】  前記決定手段は、前記指定手段によって指定された領域を印刷されない領域として決定し、
前記プレビュー表示手段は、前記決定手段によって決定された印刷されない領域を前記印刷される領域とは異なる色にて表示することを特徴とする請求項１又は２に記載の情報処理装置。
【請求項４】  前記ユーザインタフェース上に、前記複数の領域の全てを印刷するか、又は、前記複数の領域の全てを印刷しないかを設定するためのメニュー画面を表示するメニュー表示手段と、
前記プレビュー表示手段によって表示された前記複数の領域に分割された簡易出力結果の上において受け付けた入力操作が第１の入力操作であるか第２の入力操作であるかを判定する判定手段とを更に備え、
前記判定手段によって前記第１の入力操作を受け付けたと判定された場合、前記メニュー表示手段は前記メニュー画面を表示し、一方、前記判定手段によって第２の入力操作を受け付けたと判定された場合、前記指定手段は、前記複数の領域に分割された簡易出力結果から少なくとも１つの領域を指定することを特徴とする請求項１乃至３のいずれか１項に記載の情報処理装置。
【請求項５】  前記第１の入力操作は、マウスによる右クリックであり、前記第２の入力操作は、マウスによる左クリックであることを特徴とする請求項４に記載の情報処理装置。
【請求項６】  プリンタ装置と通信する情報処理装置による情報処理方法であって、
前記プリンタ装置にて実行される出力処理方法の設定を行うためのユーザインタフェースを表示するユーザインタフェース表示手順と、
前記ユーザインタフェースを用いて、１ページ分のデータを複数の同じサイズの用紙に分割して出力するポスター印刷の実行を設定する設定手段によって前記ポスター印刷の実行が設定された場合、前記出力処理方法を反映する出力結果が、ポスター印刷を実行するために使用される分割数を用いて複数の領域に分割された様子をプレビュー画面に表示するプレビュー表示手順と、
前記プレビュー表示手順によって前記プレビュー画面に表示された前記複数の領域から少なくとも１つの領域を指定する指定手段の指定に従って、前記プリンタ装置にて印刷される領域と印刷されない領域とを決定する決定手順とを有し、
前記プレビュー表示手順では、前記決定手順によって決定された前記プリンタ装置にて印刷される領域と印刷されない領域とを前記プレビュー画面に識別可能に表示することを特徴とする情報処理方法。
【請求項７】  前記ユーザインタフェース表示手順では、前記プレビュー画面を含むユーザインタフェースを表示することを特徴とする請求項６に記載の情報処理方法。
【請求項８】  前記決定手順では、前記指定された領域を印刷されない領域として決定し、
前記プレビュー表示手順では、前記決定手順によって決定された印刷されない領域を前記印刷される領域とは異なる色にて表示することを特徴とする請求項６又は７に記載の情報処理方法。
【請求項９】  前記ユーザインタフェース上に、前記複数の領域の全てを印刷するか、又は、前記複数の領域の全てを印刷しないかを設定するためのメニュー画面を表示するメニュー表示手順と、
前記プレビュー表示手順によって表示された前記複数の領域に分割された簡易出力結果の上において受け付けた入力操作が第１の入力操作であるか第２の入力操作であるかを判定する判定手順とを更に有し、
前記判定手順によって前記第１の入力操作を受け付けたと判定された場合、前記メニュー表示手順では前記メニュー画面を表示し、一方、前記判定手順によって第２の入力操作を受け付けたと判定された場合、前記指定手段は、前記複数の領域に分割された簡易出力結果から少なくとも１つの領域を指定することを特徴とする請求項６乃至８のいずれか１項に記載の情報処理方法。
【請求項１０】  前記第１の入力操作は、マウスによる右クリックであり、前記第２の入力操作は、マウスによる左クリックであることを特徴とする請求項９に記載の情報処理方法。
【請求項１１】  プリンタ装置と通信するコンピュータによる情報処理のためのプログラムを格納したコンピュータ読み取り可能な記憶媒体であって、
前記プリンタ装置にて実行される出力処理方法の設定を行うためのユーザインタフェースを表示するユーザインタフェース表示処理と、
前記ユーザインタフェースを用いて、１ページ分のデータを複数の同じサイズの用紙に分割して出力するポスター印刷の実行を設定する設定手段によって前記ポスター印刷の実行が設定された場合、前記出力処理方法を反映する出力結果が、ポスター印刷を実行するために使用される分割数を用いて複数の領域に分割された様子をプレビュー画面に表示するプレビュー表示処理と、
前記プレビュー表示処理によって前記プレビュー画面に表示された前記複数の領域から少なくとも１つの領域を指定する指定手段の指定に従って、前記プリンタ装置にて印刷される領域と印刷されない領域とを決定する決定処理とをコンピュータに実行させるためのプログラムを格納し、
前記プレビュー表示処理で、前記決定処理によって決定された前記プリンタ装置にて印刷される領域と印刷されない領域とを前記プレビュー画面に識別可能に表示することを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、プリンタ装置と通信する情報処理装置、方法及びコンピュータ読み取り可能な記憶媒体に係り、表示装置に出力処理方法の設定を行うためのユーザインタフェースを表示するとともに、当該ユーザインタフェース上に出力処理方法の設定を反映した簡易出力結果をプレビュー表示し、そのプレビュー表示上においても出力処理方法の設定を行うことができるようにしたものに関する。
【手続補正４】
【補正対象書類名】明細書
【補正対象項目名】０００６
【補正方法】変更
【補正の内容】
【０００６】
【課題を解決するための手段】
本発明の情報処理装置は、プリンタ装置と通信する情報処理装置であって、前記プリンタ装置にて実行される出力処理方法の設定を行うためのユーザインタフェースを表示するユーザインタフェース表示手段と、前記ユーザインタフェースを用いて、１ページ分のデータを複数の同じサイズの用紙に分割して出力するポスター印刷の実行を設定する設定手段と、前記設定手段によって前記ポスター印刷の実行が設定された場合、前記出力処理方法を反映する出力結果が、ポスター印刷を実行するために使用される分割数を用いて複数の領域に分割された様子をプレビュー画面に表示するプレビュー表示手段と、前記プレビュー表示手段によって前記プレビュー画面に表示された前記複数の領域から少なくとも１つの領域を指定する指定手段と、前記指定手段の指定に従って、前記プリンタ装置にて印刷される領域と印刷されない領域とを決定する決定手段とを有し、前記プレビュー表示手段は、前記決定手段によって決定された前記プリンタ装置にて印刷される領域と印刷されない領域とを前記プレビュー画面に識別可能に表示することを特徴とする。
本発明の情報処理方法は、プリンタ装置と通信する情報処理装置による情報処理方法であって、前記プリンタ装置にて実行される出力処理方法の設定を行うためのユーザインタフェースを表示するユーザインタフェース表示手順と、前記ユーザインタフェースを用いて、１ページ分のデータを複数の同じサイズの用紙に分割して出力するポスター印刷の実行を設定する設定手段によって前記ポスター印刷の実行が設定された場合、前記出力処理方法を反映する出力結果が、ポスター印刷を実行するために使用される分割数を用いて複数の領域に分割された様子をプレビュー画面に表示するプレビュー表示手順と、前記プレビュー表示手順によって前記プレビュー画面に表示された前記複数の領域から少なくとも１つの領域を指定する指定手段の指定に従って、前記プリンタ装置にて印刷される領域と印刷されない領域とを決定する決定手順とを有し、前記プレビュー表示手順では、前記決定手順によって決定された前記プリンタ装置にて印刷される領域と印刷されない領域とを前記プレビュー画面に識別可能に表示することを特徴とする。
本発明のコンピュータ読み取り可能な記憶媒体は、プリンタ装置と通信するコンピュータによる情報処理のためのプログラムを格納したコンピュータ読み取り可能な記憶媒体であって、前記プリンタ装置にて実行される出力処理方法の設定を行うためのユーザインタフェースを表示するユーザインタフェース表示処理と、前記ユーザインタフェースを用いて、１ページ分のデータを複数の同じサイズの用紙に分割して出力するポスター印刷の実行を設定する設定手段によって前記ポスター印刷の実行が設定された場合、前記出力処理方法を反映する出力結果が、ポスター印刷を実行するために使用される分割数を用いて複数の領域に分割された様子をプレビュー画面に表示するプレビュー表示処理と、前記プレビュー表示処理によって前記プレビュー画面に表示された前記複数の領域から少なくとも１つの領域を指定する指定手段の指定に従って、前記プリンタ装置にて印刷される領域と印刷されない領域とを決定する決定処理とをコンピュータに実行させるためのプログラムを格納し、前記プレビュー表示処理で、前記決定処理によって決定された前記プリンタ装置にて印刷される領域と印刷されない領域とを前記プレビュー画面に識別可能に表示することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１８
【補正方法】変更
【補正の内容】
【００１８】
【発明の実施の形態】
以下、図面を参照して、本発明の実施の形態について説明する。